(57)【要約】【課題】  ２段直列集塵機から発生する飛灰を特別な装置を必要とすることなく、また、煩雑な制御を必要とすることなく、少ない重金属固定剤添加量で容易かつ効率的に処理して処理物からの重金属の溶出を確実に防止する。【解決手段】  焼却炉又は溶融炉から発生する排ガスを、２段直列に配置した集塵機の第１集塵機２に通して飛灰を捕集し、次いで第１集塵機２から排出される排ガスに消石灰５を噴霧した後第２集塵機４に通して飛灰を捕集する２段直列集塵機の、第１集塵機捕集灰と第２集塵機捕集灰との混合灰に、リン酸系重金属固定剤１３とキレート系重金属固定剤１４とを添加して処理する。【選択図】  図１
2005058942.tif 000002
【特許請求の範囲】
【請求項１】
焼却炉又は溶融炉から発生する排ガスを、２段直列に配置した集塵機の第１集塵機に通して飛灰を捕集し、次いで第１集塵機から排出される排ガスに消石灰を噴霧した後第２集塵機に通して飛灰を捕集することにより該排ガスを処理するに当たり、該集塵機で捕集された灰を処理する方法において、
該第１集塵機の捕集灰と該第２集塵機の捕集灰とを混合し、該混合灰にリン酸系重金属固定剤とキレート系重金属固定剤を添加することを特徴とする２段直列集塵機の捕集灰の処理方法。
【請求項２】
請求項１において、該第１集塵機の捕集灰の酸消費量又はアルカリ消費量と該第２集塵機の捕集灰の酸消費量とを測定することを特徴とする２段直列集塵機の捕集灰の処理方法。
【請求項３】
請求項２において、該第１集塵機の捕集灰の酸消費量又はアルカリ消費量の測定値と該第２集塵機の捕集灰の酸消費量の測定値とに基いて、該第１集塵機の捕集灰と該第２集塵機の捕集灰との混合比率を決定することを特徴とする２段直列集塵機の捕集灰の処理方法。
【請求項４】
請求項３において、該混合灰の酸消費量が３０〜２００ｍｇ−ＣａＣＯ３／ｇ−灰となるように混合比率を決定することを特徴とする２段直列集塵機の捕集灰の処理方法。
【請求項５】
請求項２ないし４のいずれか１項において、該第１集塵機の捕集灰の酸消費量又はアルカリ消費量の測定値と、該第２集塵機の捕集灰の酸消費量の測定値と、該第１集塵機の捕集灰と該第２集塵機の捕集灰との混合比率とに基いて、該混合灰への重金属固定剤の添加率を決定することを特徴とする２段直列集塵機の捕集灰の処理方法。
【請求項６】
請求項５において、該第１集塵機の捕集灰の酸消費量又はアルカリ消費量の測定値と、該第２集塵機の捕集灰の酸消費量の測定値と、該第１集塵機の捕集灰と該第２集塵機の捕集灰との混合比率とに基いて、該混合灰の酸消費量Ａ（ｍｇ−ＣａＣＯ３／ｇ−灰）を求め、この酸消費量Ａから下記（１）式により該混合灰へのリン酸系重金属固定剤の添加率Ｔ（重量％／灰）を決定することを特徴とする２段直列集塵機の捕集灰の処理方法。
Ｔ＝（０．０８〜０．２５）×Ａ      ‥（１）
【請求項７】
請求項１において、該第１集塵機の捕集灰と該第２集塵機の捕集灰の混合灰の酸消費量を測定することを特徴とする２段直列集塵機の捕集灰の処理方法。
【請求項８】
請求項７において、該混合灰の酸消費量の測定値に基いて、該混合灰への重金属固定剤の添加率を決定することを特徴とする２段直列集塵機の捕集灰の処理方法。
【請求項９】
請求項８において、該混合灰の酸消費量の測定値Ａ（ｍｇ−ＣａＣＯ３／ｇ−灰）から下記（１）式により該混合灰へのリン酸系重金属固定剤の添加率Ｔ（重量％／灰）を決定することを特徴とする２段直列集塵機の捕集灰の処理方法。
Ｔ＝（０．０８〜０．２５）×Ａ      ‥（１）
【請求項１０】
請求項１ないし９のいずれか１項において、キレート系重金属固定剤を該混合灰に対して１０重量％以下添加することを特徴とする２段直列集塵機の捕集灰の処理方法。
【発明の詳細な説明】
【技術分野】
【０００１】
本発明は焼却炉又は溶融炉から発生する排ガスを２段直列に設置した集塵機で処理する際に、集塵機で捕集される捕集灰を効果的に処理して、捕集灰からの重金属の溶出を確実に防止する２段直列集塵機の捕集灰の処理方法に関する。
【背景技術】
【０００２】
一般家庭ごみや産業廃棄物の焼却炉又は溶融炉から発生する排ガス中には、焼却過程又は溶融過程で揮散された鉛等の重金属を含むダストや塩化水素（ＨＣｌ）などの強酸性のガスが含まれていることから、これらの処理を施してから大気中に放散する必要がある。
【０００３】
この排ガスの効果的な処理方法として、集塵機を２段直列に設置し、排ガスを２段集塵処理する方法が提案されている（特公平７−１０３９８０号公報）。この方法は、焼却炉から排出された排ガスを冷却する工程、冷却された排ガスから第１バグフィルタで煤塵を除去する工程、煤塵除去後の排ガスに消石灰を粉体又はスラリー状で噴霧して中和する工程、次いで中和された排ガスを第２バグフィルタで浄化する工程とからなっている。
【０００４】
第１バグフィルタの主機能は、焼却過程又は溶融過程で発生する低沸点重金属類を含んだ飛灰の捕集であり、第２バグフィルタの主機能は塩化水素等の酸性ガスの除去である。即ち、第２バグフィルタでは、第１バグフィルタと第２バグフィルタとの間の中和工程で噴霧された消石灰が飛灰と共に濾布表面に堆積し、この消石灰を含む堆積層で、排ガス中の塩化水素等の酸性ガスを効果的に吸収除去することができる。このため、第１バグフィルタで捕集された灰は重金属類を多く含有するが、消石灰成分はなく、第２バグフィルタで捕集された灰は、重金属類の含有量は少なく、未反応の消石灰を多く含むものとなる。
【０００５】
なお、消石灰を第１バグフィルタの入口側で噴霧し、塩化水素などの酸性ガスの一部を第１バグフィルタで除去する場合もあり、この場合には、第１バグフィルタの捕集灰は重金属類を多く含有すると共に未反応の消石灰も含むものとなる。
【０００６】
いずれの場合も、第２バグフィルタの捕集灰は重金属類含有量が低いため、少量の重金属固定剤の添加で重金属の溶出を防止することが可能であるが、第１バグフィルタの捕集灰は重金属類の含有量が高いため、重金属の溶出防止処理が難しいという問題があった。また、第１バグフィルタの捕集灰と第２バグフィルタの捕集灰とを混合して処理する場合は、混合灰は重金属類と未反応の消石灰とを多く含むものとなるため、重金属固定剤を多量に添加する必要があるという問題があった。
【０００７】
従来、このような２段直列集塵機から発生する飛灰の処理方法として、第１バグフィルタから発生する飛灰に、鉄塩と第２バグフィルタから発生する飛灰を添加し、水を加えて湿潤状態で混練して処理する方法が提案されている（特開２０００−２０２３９５号公報）。
【０００８】
また、本出願人は先に、このような２段直列集塵機から発生する飛灰の処理方法として、第１集塵機の捕集灰と第２集塵機の捕集灰との混合灰を水と重金属固定剤と炭酸ガスを組み合わせて処理する方法を提案した（特開２００３−１４５０９１号公報）。
【０００９】
この方法は、焼却排ガスなどの炭酸ガスを用いて飛灰中のアルカリ成分を低減することによって、
(i)  重金属固定剤の必要添加量を低減して飛灰処理コストの低減を図り、更に酸性雨に曝された際等においても重金属の溶出を確実に抑制する。  
(ii)  スケール生成成分の溶出を抑制する。
という効果を奏するものである。この方法によって混合灰を処理するためには、混合灰と水と炭酸ガスと重金属固定剤とを混合して反応させる必要があり、そのような処理装置として、特開２００１−６２４２６号公報のようなアルカリ飛灰処理装置が提案されている。
【００１０】
なお、本出願人は先に、飛灰の酸消費量を測定し、測定した酸消費量に基いて重金属固定剤の必要添加率を把握する方法を提案している（特開平８−１０１１８６号公報）。
【特許文献１】特公平７−１０３９８０号公報
【特許文献２】特開２０００−２０２３９５号公報
【特許文献３】特開２００３−１４５０９１号公報
【特許文献４】特開２００１−６２４２６号公報
【特許文献５】特開平８−１０１１８６号公報
【発明の開示】
【発明が解決しようとする課題】
【００１１】
２段直列集塵機から発生する飛灰の処理方法として提案されている上記の特開２０００−２０２３９５号公報記載の方法は、第１バグフィルタの捕集灰のｐＨ調整剤として第２バグフィルタの捕集灰を用いる方法であり、新たなｐＨ調整剤としてのアルカリ剤を添加する必要はないという利点があるが、酸性化合物である鉄塩とアルカリ性である第２バグフィルタの捕集灰の添加量を調整して最適なｐＨ域に設定する必要があるため、ｐＨ制御が難しく実用的ではないという問題があった。
【００１２】
また、上記特開２００１−６２４２６号公報に記載の方法は、炭酸ガスと混合灰を反応させるための処理装置を新たに設置する必要があり、既存の焼却場には適用しにくいという問題があった。
【００１３】
なお、上記特開平８−１０１１８６号公報の方法は、飛灰の酸消費量の測定値から重金属固定剤の必要添加量を計算するものであるが、酸消費量が少なすぎる場合は重金属固定剤の添加量が少なすぎて重金属の溶出を十分防止できない場合があり、酸消費量が大きすぎる場合には重金属固定剤の添加量が多くなりすぎるという問題があった。
【００１４】
本発明は、上記従来の問題点を解決し、２段直列集塵機から発生する飛灰を適切に処理する方法を提供することを目的とする。
【００１５】
即ち、本発明は２段直列集塵機から発生する飛灰を特別な装置を必要とすることなく、また、煩雑な制御を必要とすることなく、少ない重金属固定剤添加量で容易かつ効率的に処理して処理物からの重金属の溶出を確実に防止する２段直列集塵機の捕集灰の処理方法を提供することを目的とする。
【課題を解決するための手段】
【００１６】
本発明の２段直列集塵機の捕集灰の処理方法は、焼却炉又は溶融炉から発生する排ガスを、２段直列に配置した集塵機の第１集塵機に通して飛灰を捕集し、次いで第１集塵機から排出される排ガスに消石灰を噴霧した後第２集塵機に通して飛灰を捕集することにより該排ガスを処理するに当たり、該集塵機で捕集された灰を処理する方法において、該第１集塵機の捕集灰と該第２集塵機の捕集灰とを混合し、該混合灰にリン酸系重金属固定剤とキレート系重金属固定剤を添加することを特徴とする。
【００１７】
本発明においては、第１集塵機の捕集灰と第２集塵機の捕集灰とを混合して、リン酸系重金属固定剤とキレート系重金属固定剤とで処理することにより、処理物からの重金属の溶出を確実に防止することができる。即ち、本発明においては、第１集塵機の捕集灰と第２集塵機の混合灰に対してリン酸系重金属固定剤とキレート系重金属固定剤とを併用することにより、リン酸系重金属固定剤は特にＰｂとＣｄに対して効果的で、キレート系重金属固定剤はＨｇの固定に対して効果的であるという相乗効果で、少ない重金属固定剤添加量で著しく優れた重金属固定化効果を得ることができる。
【００１８】
本発明においては、第１集塵機の捕集灰の酸消費量又はアルカリ消費量と該第２集塵機の捕集灰の酸消費量を測定し、これらの測定値に基いて、混合灰の酸消費量が３０〜２００ｍｇ−ＣａＣＯ３／ｇ−灰となるように、第１集塵機の捕集灰と第２集塵機の捕集灰との混合比率を決定することが好ましく、また、第１集塵機の捕集灰の酸消費量又はアルカリ消費量の測定値と第２集塵機の捕集灰の酸消費量の測定値と、第１集塵機の捕集灰と第２集塵機の捕集灰との混合比率に基いて、混合灰の酸消費量Ａ（ｍｇ−ＣａＣＯ３／ｇ−灰）を求め、この酸消費量Ａから下記（１）式により混合灰へのリン酸系重金属固定剤の添加率Ｔ（重量％／灰）を決定することが好ましい。  
Ｔ＝（０．０８〜０．２５）×Ａ      ‥（１）
【００１９】
或いは、第１集塵機の捕集灰と第２集塵機の捕集灰の混合灰の酸消費量を測定し、この混合灰の酸消費量の測定値Ａ（ｍｇ−ＣａＣＯ３／ｇ−灰）から、下記（１）式により混合灰へのリン酸系重金属固定剤の添加率Ｔ（重量％／灰）を決定することが好ましい。  
Ｔ＝（０．０８〜０．２５）×Ａ      ‥（１）
【００２０】
このようにすることで、第１集塵機の捕集灰と第２集塵機の捕集灰との混合比の制御を容易に行うことができる。また、混合灰の酸消費量は、一般的にはリン酸系重金属固定剤の添加量の算出に適当な値であるため、リン酸系重金属固定剤の過不足を防止して、適切なリン酸系重金属固定剤の添加制御を行うことができる。
【００２１】
本発明において、キレート系重金属固定剤の添加量は、混合灰に対して１０重量％以下、特に０．２〜３．０重量％とすることが好ましい。
【発明の効果】
【００２２】
以上詳述した通り、本発明の２段直列集塵機の捕集灰の処理方法によれば、２段直列集塵機から発生する飛灰を特別な装置を必要とすることなく、また、煩雑な制御を必要とすることなく、少ない重金属固定剤添加量で容易かつ効率的に処理して処理物からの重金属の溶出を確実に防止することができる。
【発明を実施するための最良の形態】
【００２３】
以下に図面を参照して本発明の２段直列集塵機の捕集灰の処理方法の実施の形態を詳細に説明する。
【００２４】
図１は、本発明の２段直列集塵機の捕集灰の処理方法の実施の形態を示す排ガス処理工程図である。
【００２５】
図１において、焼却炉や溶融炉からの排ガスは、排ガス流路１を通って第１集塵機（第１の排ガス処理手段又は第１のバグフィルタ）２で飛灰（ダスト）が捕集され、更に排ガス流路３を通って第２集塵機（ガス浄化装置。第２の排ガス処理手段または第２のバグフィルタ）４で脱塩・脱硫されると共に飛灰が捕集され、浄化された排ガスは誘引送風機６により誘引され、クリーンな煙道ガスとなって煙突７から排出される。このとき、第２集塵機４で脱塩・脱硫するための消石灰粉５が排ガス流路３に供給される。
【００２６】
第１集塵機２で捕集された飛灰は、貯留槽８に貯留され、第２集塵機４で捕集された飛灰は、貯留槽９に貯留される。貯留された捕集灰は、所定の比率で混合され、この混合灰に処理槽１０において、水１２とリン酸系重金属固定剤１３とキレート系重金属固定剤１４を添加して混練処理し、処理灰１１を得る。
【００２７】
本発明においては、第１集塵機の捕集灰の酸消費量又はアルカリ消費量と該第２集塵機の捕集灰の酸消費量を測定し、これらの測定値に基いて、混合灰の酸消費量が３０〜２００ｍｇ−ＣａＣＯ３／ｇ−灰となるように、第１集塵機の捕集灰と第２集塵機の捕集灰との混合比率を決定することが好ましい。この混合灰の酸消費量が３０ｍｇ−ＣａＣＯ３／ｇ−灰未満であるとリン酸系重金属固定剤を添加したときにｐＨが低下しすぎて、重金属固定が充分でない場合があり、２００ｍｇ−ＣａＣＯ３／ｇ−灰を超えるとリン酸系重金属固定剤の必要添加量が多くなってしまうからである。
【００２８】
通常の焼却炉又は溶融炉における２段直列集塵機において、混合灰の酸消費量が上記範囲となるように混合するための第１集塵機の捕集灰と第２集塵機の捕集灰の混合比率は、第１集塵機の捕集灰：第２集塵機の捕集灰＝１０：９０〜９０：１０、好ましくは２５：７５〜７５：２５（いずれも重量比）程度である。
【００２９】
また、本発明においては、第１集塵機の捕集灰の酸消費量又はアルカリ消費量の測定値と第２集塵機の捕集灰の酸消費量の測定値と、第１集塵機の捕集灰と第２集塵機の捕集灰との混合比率に基いて、混合灰の酸消費量Ａ（ｍｇ−ＣａＣＯ３／ｇ−灰）を求め、この酸消費量Ａから下記（１）式により混合灰へのリン酸系重金属固定剤の添加率Ｔ（重量％／灰）を決定することが好ましい。  
Ｔ＝（０．０８〜０．２５）×Ａ      ‥（１）
【００３０】
リン酸系重金属固定剤の添加率Ｔが上記範囲よりも少ないとリン酸系重金属固定剤による十分な重金属の固定化効果を得ることができず、多いとｐＨが低下しすぎて重金属の溶出防止が充分でない場合がある。
【００３１】
より好ましいリン酸系重金属固定剤の添加率Ｔは、下記（２）式の範囲である。  
Ｔ＝（０．０８〜０．１５）×Ａ      ‥（２）
【００３２】
なお、混合灰の酸消費量Ａは、第１集塵機の捕集灰の酸消費量又はアルカリ消費量の測定値と第２集塵機の捕集灰の酸消費量の測定値と、第１集塵機の捕集灰と第２集塵機の捕集灰との混合比率とから計算により求めることができるが、混合灰の酸消費量を測定し、この測定値をリン酸系重金属固定剤添加量の算出に用いても良い。
【００３３】
一方、キレート系重金属固定剤の添加量は、混合灰に対して１０重量％以下、特に０．２〜３．０重量％とすることが好ましい。キレート系重金属固定剤の添加量が１０重量％を超えても重金属固定効果に影響はないが、過剰添加となり経済的でない。キレート系重金属固定剤の添加量は０．２重量％未満ではリン酸系重金属固定剤とキレート系重金属固定剤との併用による十分な相乗効果を得ることができない。
【００３４】
水の添加量は、重金属固定剤の混練効率の面から混合灰に対して５〜５０重量％、特に１０〜３０重量％とするのが好ましい。なお、この添加量は、混合灰に対する合計の水の好適添加量であり、重金属固定剤を後述の如く水溶液として添加する場合には、この水溶液として添加される水量も含めることが好ましい。
【００３５】
なお、本発明において、酸消費量及びアルカリ消費量の測定は、灰に水を混合して得られた溶液に対して常法に従って行うことができ、このとき水と飛灰との混合比は、固液比、即ち飛灰に対する水の重量比で１０〜１０００、特に１００〜１０００、とりわけ５００〜１０００程度とすることが好ましい。
【００３６】
本発明において用いるリン酸系重金属固定剤としては特に制限はなく、リン酸又はその塩が用いられ、このうち、リン酸としては正リン酸や次亜リン酸、メタ亜リン酸、ピロ亜リン酸、正亜リン酸、次リン酸、メタリン酸、ピロリン酸、三リン酸、縮合リン酸が挙げられ、リン酸塩としては、これらのリン酸のナトリウム塩、カリウム塩等のアルカリ金属塩、第１リン酸塩、第２リン酸塩が挙げられる。特に好適なものは、正リン酸（Ｈ３ＰＯ４）、リン酸二水素−ナトリウム（ＮａＨ２ＰＯ４）、リン酸−水素二ナトリウム（Ｎａ２ＨＰＯ４）である。これらのリン酸系重金属固定剤は１種を単独で用いても、２種以上を併用しても良い。
【００３７】
これらのリン酸及び／又はリン酸塩は、好ましくは２０〜８０重量％濃度の水溶液として飛灰に添加して混練される。このような水溶液を用いる場合、前述の如く、水溶液として持ち込まれる水量を、混練水として考慮することが望ましい。
【００３８】
また、キレート系重金属固定剤としては、ジチオカルバミン酸系重金属固定剤が挙げられ、具体的には、ジエチルジチオカルバミン酸及びその塩類（例えばナトリウム塩等）、ピペラジンジチオカルバミン酸及びその塩類、ポリアミンジチオカルバミン酸及びその塩類などがある。これらのキレート系重金属固定剤は１種を単独で用いても、２種以上を併用しても良い。この中でも、取り扱い性の面から、液体としてのジチオカルバミン酸塩水溶液が好適に用いられる。
【００３９】
このようなジチオカルバミン酸系重金属固定剤は、好ましくは２０〜５０重量％濃度の水溶液として添加して混練される。このようなジチオカルバミン酸系重金属固定剤水溶液を用いる場合においても、前述の如く、水溶液として持ち込まれる水量を、混練水として考慮することが望ましい。
【００４０】
なお、本発明において、混合灰への水、リン酸系重金属固定剤及びキレート系重金属固定剤の添加順序には特に制限はなく、これらを同時に添加しても、順次添加しても良い。混練性、取り扱い性等の面からは、混合灰に水を添加混練した後、リン酸系重金属固定剤及びキレート系重金属固定剤を同時に又は順次に添加するか、或いは、予め水に溶解させたリン酸系重金属固定剤及びキレート系重金属固定剤を混合灰に添加して混練することが好ましい。
【００４１】
本発明においては、上記リン酸系重金属固定剤、キレート系重金属固定剤に加えて、更に、活性白土のような粘土鉱物重金属固定剤、澱粉のような高分子系重金属固定剤、セメント系重金属固定剤、硫酸のような酸性溶液系重金属固定剤、アルミニウム化合物系重金属固定剤、鉄化合物系重金属固定剤のような他の重金属固定剤を併用することができる。
【実施例】
【００４２】
以下に実施例及び比較例を挙げて本発明をより具体的に説明するが、本発明はその要旨を超えない限り、以下の実施例により何ら限定されるものではない。
【００４３】
なお、以下の実施例では、都市ゴミの溶融炉から発生する排ガスを２段直列集塵機で処理した場合の１段目のバグフィルタから発生するＡ飛灰と２段目のバグフィルタから発生するＢ飛灰の処理を行った。各飛灰の成分は表１に示す通りであり、Ａ飛灰は重金属類の含有量が多く、Ｂ飛灰は重金属類の含有量は少ないが、残存消石灰成分であるＣａの含有量が多い。
【００４４】
【表１】
2005058942.tif 000003
【００４５】
実施例１
処理手順は次の通りである。
【００４６】
(1)  Ａ飛灰のアルカリ消費量（Ｐ酸度）を測定した。アルカリ消費量の測定方法は、次の通りに行った。
【００４７】
まず、Ａ飛灰を１ｇ採取し、それに脱塩水を１０００ｍｌ加え、５分間攪拌した。攪拌後の溶液を５０ｍｌ採取し、フェノールフタレインを指示薬として、０．０２Ｎ−ＮａＯＨ水溶液を用いて滴定した。Ａ飛灰のアルカリ消費量は、６０ｍｇ−ＣａＣＯ３／ｇ−灰であった。
【００４８】
(2)  Ｂ飛灰の酸消費量（Ｐアルカリ度）を測定した。酸消費量の測定方法は、次の通りに行った。
【００４９】
まず、Ｂ飛灰を１ｇ採取し、それに脱塩水を１０００ｍｌ加え、５分間攪拌した。攪拌後の溶液を５０ｍｌ採取し、フェノールフタレインを指示薬として、０．０２Ｎ−Ｈ２ＳＯ４溶液を用いて滴定した。Ｂ飛灰の酸消費量は、４１０ｍｇ−ＣａＣＯ３／ｇ−灰であった。
【００５０】
(3)  Ａ飛灰６５ｇとＢ飛灰３５ｇを混合し、酸消費量（Ｐアルカリ度）を測定した。酸消費量は、１０５ｍｇ−ＣａＣＯ３／ｇ−灰であった。従って、前記(1)式で算出されるリン酸系重金属固定剤の適正添加量は８．４〜２６．２５重量％／灰である。
【００５１】
(4)  混合灰５０ｇを１０００ｍｌポリビーカーに採取し、脱塩水１２．５ｇ（混合灰に対して２５重量％）とリン酸系重金属固定剤（７５重量％正リン酸水溶液）を表２に示す割合で添加し、スパーテルで約１時間混練した。次いで、キレート系重金属固定剤（３５重量％ピペラジンジチオカルバミン酸カリウム塩溶液）を表２に示す割合で添加し、スパーテルで約３分間混練した。
【００５２】
(5)  得られた処理灰について、環境庁告示１３号試験に準じた溶出試験を行って、溶出液中のｐＨとＰｂ，Ｃｄ，Ｈｇ濃度を測定し、試験結果を表２に示した。
【００５３】
比較例１〜６
Ａ飛灰とＢ飛灰の混合灰に対して、表２に示す重金属固定剤を表２に示す割合で添加したこと以外は実施例１と同様にして混合灰の処理を行い（ただし、比較例２では重金属固定剤添加せず）、同様に処理灰の溶出試験を行って結果を表２に示した。
【００５４】
比較例７〜１５
Ａ飛灰とＢ飛灰とを混合せず、Ａ飛灰のみ或いはＢ飛灰のみに表２に示す重金属固定剤を表２に示す割合で添加したこと以外は実施例１と同様にして飛灰の処理を行い、同様に処理灰の溶出試験を行って結果を表２に示した。
【００５５】
比較例１６〜２２
Ａ飛灰６０ｇとＢ飛灰４０ｇとの混合灰に、表２に示す重金属固定剤を表２に示す割合で添加したこと以外は実施例１と同様にして飛灰の処理を行い（ただし、比較例１６では重金属固定剤添加せず）、同様に処理灰の溶出試験を行って結果を表２に示した。
【００５６】
【表２】
2005058942.tif 000004
【００５７】
表２より明らかなように、Ａ飛灰とＢ飛灰を別々にキレート系重金属固定剤で処理した場合（比較例７〜１５）、Ｐｂ，Ｃｄの溶出を埋立基準値（０．３ｍｇ／ｌ）以下まで防止できる添加量は、Ａ飛灰の場合２５重量％／灰、Ｂ飛灰の場合２重量％／灰と大きく異なっており、実際の処理では添加量制御が難しい。また、Ａ飛灰とＢ飛灰を混合した灰に対してもキレート系重金属固定剤は２０重量％／灰必要となっている（比較例２〜６）。また、Ａ飛灰とＢ飛灰の混合灰にポリ硫酸第２鉄を用いた場合（特開２０００−２０２３９５号公報の方法）、ポリ硫酸第２鉄の添加量が多く必要となるため、実用的ではない（比較例１６〜２２）。
【００５８】
これに対して実施例１の場合は、リン酸系重金属固定剤１０重量％／灰とキレート系重金属固定剤３重量％／灰を併用することで、飛灰中のＰｂ，Ｃｄ，Ｈｇの溶出を確実に防止することができる。ただし、リン酸系重金属固定剤のみの添加では、Ｈｇの溶出防止が充分でない（比較例１）。
【００５９】
このことより、本発明の処理を行うことにより、重金属固定剤の低添加量で、安定的に処理を行うことができることが分かる。
【産業上の利用可能性】
【００６０】
本発明によれば、２段直列集塵機を設けた一般家庭ごみや産業廃棄物の焼却設備又は溶融設備における飛灰処理コストを大幅に低減すると共に、処理物を安全に処分することができる。
【図面の簡単な説明】
【００６１】
【図１】本発明の２段直列集塵機の捕集灰の処理方法の実施の形態を示す排ガス処理工程図である。
【符号の説明】
【００６２】
１，３  排ガス流路
２  第１集塵機
４  第２集塵機
６  誘引送風機
７  煙突
８，９  貯留槽
１０  処理槽
１１  処理灰
１２  水
１３  リン酸系重金属固定剤
１４  キレート系重金属固定剤
【図１】
2005058942.tif 000005